(57)【要約】【課題】本発明は織物用の収納袋を開示した。【解決手段】織物用袋を含み、前記織物用袋の前後端面には手提げ紐が固定的に設置され、前記織物用袋の中には袋チャンバが設置され、前記袋チャンバの中には下端が前記袋チャンバの下端壁と当接しているベースが設置され、前記ベースの中には置きチャンバが設置され、前記置きチャンバの左右両側には凹溝が設置され、前記凹溝の中には側板がスライドできるように設置され、前記側板の下端と前記凹溝との間には第一ばねが固定的に設置され、本発明は構成が簡単で、操作が便利で、収納袋の中には取り外し可能な収納用の装置が設置されており、収納装置により織り物を置きチャンバの中に置き、織り物用の針がきつく挟まれ、織り物が結んだりほどけたりすることを防止でき、且つ収納装置が昇降でき、携帯や使用に便利を与える。【選択図】図１
2020179113.tif 000002
【特許請求の範囲】
【請求項１】
正面視で、織物用袋を含み、前記織物用袋の前後端面には手提げ紐が固定的に設置され、前記織物用袋の中には袋チャンバが設置され、前記袋チャンバの中には下端が前記袋チャンバの下端壁と当接しているベースが設置され、前記ベースの中には置きチャンバが設置され、前記置きチャンバの左右両側には凹溝が設置され、前記凹溝の中には側板がスライドできるように設置され、前記側板の下端と前記凹溝との間には第一ばねが固定的に設置され、前記凹溝のうち互いに離れている側には前後対称であるねじ穴が設置され、前記ねじ穴の中にはボールねじがねじ山によって連結され、前記置きチャンバの前後側には伸縮溝が設置され、前記伸縮溝の中には囲み板がスライドできるように設置され、前記囲み板の下端と前記伸縮溝との間には第二ばねが固定的に設置され、前記ベースの上側には上端が外部空間に伸びている環状の昇降ブロックが設置され、前記昇降ブロックの中には前記置きチャンバと連通している環状チャンバが設置され、前記環状チャンバの前後にはスライドチャンバが対称的に、且つ連通するように設置され、前記スライドチャンバの左右両端が外部空間と連通しており、前記スライドチャンバの中には左右対称的な、且つ磁力により連結されているカバー板がスライドできるように設置され、前記カバー板の後端面には前記カバー板を復帰させることができる復帰組み合わせが固定的に設置され、前記カバー板の下側には昇降装置が設置され、前記昇降装置が同じ側の前記ボールねじの上端と動力が伝達できるように連結され、前記環状チャンバには上方に開口した挟み溝が左右対称的に、且つ前記環状チャンバと連通するように設置され、左右の前記挟み溝の中にはそれぞれ前後対称である挟みブロックがスライドできるように設置され、前記挟みブロックの相対している端面には滑り止めマットが固定的に設置され、前記挟み溝の下端壁の中には回転チャンバが連通するように設置され、前記挟みブロックの下端が前記回転チャンバの中には伸びており、前記回転チャンバの中には前後に置かれている回転ロッドが回転できるように設置され、前記回転ロッドの上端が前記挟みブロックの下端とそれぞれ回転できるように連結され、前記回転ロッドの間にはねじりばねが固定的に設置され、前記回転ロッドの下端の間には推しブロックが当接するように設置され、左右の前記回転チャンバのうち互いに離れている側には伝動装置が設置され、前記伝動装置と前記推しブロックとは動力が伝達できるように連結され、
織物をきつく挟んで前記環状チャンバの中に置き、前記環状チャンバが前記袋チャンバの中に収縮されることを特徴とする織物用の収納袋。
【請求項２】
前記昇降装置は前後対称的な、且つ前記スライドチャンバと連通している空き溝を含み、前記空き溝の中には前記カバー板の下端面と噛み合っている連結ギアが回転できるように設置され、前記連結ギアの下端にはベベルギアが噛み合うように連結され、前記空き溝の下側が前記袋チャンバと連通しており、前記昇降装置の同じ側の前後にある二つの前記ボールねじの上端が前記空き溝の中に伸びており、前記ボールねじの上端がそれぞれ前記ベベルギアと固定的に連結されており、
前記カバー板が移動することにより、前記昇降ブロックが昇降することを特徴とする請求項１に記載の織物用の収納袋。
【請求項３】
前記伝動装置は回転溝を含み、前記回転溝の中には当接ロッドが回転できるように設置され、前記当接ロッドのうち互いに離れている端が外部空間の中に伸びており、且つ前記カバー板と当接しており、前記当接ロッドの下端と前記回転溝との間にはトーションばねが固定的に設置され、前記当接ロッドにはスライド溝が設置され、前記スライド溝の中にはスライドブロックがスライドできるように設置され、前記スライドブロックには連通溝が回転できるように設置され、前記回転溝の下端壁にはスライドロッドにより連通チャンバが連通するように設置され、前記連通溝の下端が前記連通チャンバの中に伸びており、且つ前記連通溝の下端にはコンロッドが回転できるように設置され、前記連通チャンバと前記回転チャンバとが連通され、前記推しブロックの下端が前記連通チャンバの中に伸びており、且つ前記コンロッドのもう一端と回転できるように連結され、左右の前記推しブロックのうち互いに接近している端には前記推しブロックを復帰させることができる復帰部品が固定的に設置され、
前記当接ロッドが回転して前記推しブロックを昇降連動させることを特徴とする請求項１に記載の織物用の収納袋。
【発明の詳細な説明】
【技術分野】
【０００１】
本発明は日用品技術分野に関わり、具体的には織物用の収納袋である。
【背景技術】
【０００２】
今の織物用の収納袋は物を収容する作用しか持っていなく、織物を袋に入れれば、携帯する時の揺れ動き又は収納する時に押されることなどが原因で、織物は結んだりほどけたりする。
従って、織物用の収納袋の使用の便利さを高めるため、既存技術の織物用の収納袋を更に改善する必要がある。
【先行技術文献】
【特許文献】
【０００３】
【特許文献１】中国特許出願公開第１０５６４４９１１号明細書
【発明の概要】
【発明が解決しようとする課題】
【０００４】
本発明は織物用の収納袋を提供し、既存技術にある上記欠点を解消することを目的とする。
【課題を解決するための手段】
【０００５】
本発明の織物用の収納袋は、織物用袋を含み、前記織物用袋の前後端面には手提げ紐が固定的に設置され、前記織物用袋の中には袋チャンバが設置され、前記袋チャンバの中には下端が前記袋チャンバの下端壁と当接しているベースが設置され、前記ベースの中には置きチャンバが設置され、前記置きチャンバの左右両側には凹溝が設置され、前記凹溝の中には側板がスライドできるように設置され、前記側板の下端と前記凹溝との間には第一ばねが固定的に設置され、前記凹溝のうち互いに離れている側には前後対称であるねじ穴が設置され、前記ねじ穴の中にはボールねじがねじ山によって連結され、前記置きチャンバの前後側には伸縮溝が設置され、前記伸縮溝の中には囲み板がスライドできるように設置され、前記囲み板の下端と前記伸縮溝との間には第二ばねが固定的に設置され、前記ベースの上側には上端が外部空間に伸びている環状の昇降ブロックが設置され、前記昇降ブロックの中には前記置きチャンバと連通している環状チャンバが設置され、前記環状チャンバの前後にはスライドチャンバが対称的に、且つ連通するように設置され、前記スライドチャンバの左右両端が外部空間と連通しており、前記スライドチャンバの中には左右対称的な、且つ磁力により連結されているカバー板がスライドできるように設置され、前記カバー板の後端面には前記カバー板を復帰させることができる復帰組み合わせが固定的に設置され、前記カバー板の下側には昇降装置が設置され、前記昇降装置が同じ側の前記ボールねじの上端と動力が伝達できるように連結され、前記環状チャンバには上方に開口した挟み溝が左右対称的に、且つ前記環状チャンバと連通するように設置され、左右の前記挟み溝の中にはそれぞれ前後対称である挟みブロックがスライドできるように設置され、前記挟みブロックの相対している端面には滑り止めマットが固定的に設置され、前記挟み溝の下端壁の中には回転チャンバが連通するように設置され、前記挟みブロックの下端が前記回転チャンバの中には伸びており、前記回転チャンバの中には前後に置かれている回転ロッドが回転できるように設置され、前記回転ロッドの上端が前記挟みブロックの下端とそれぞれ回転できるように連結され、前記回転ロッドの間にはねじりばねが固定的に設置され、前記回転ロッドの下端の間には推しブロックが当接するように設置され、左右の前記回転チャンバのうち互いに離れている側には伝動装置が設置され、前記伝動装置と前記推しブロックとは動力が伝達できるように連結され、
織物をきつく挟んで前記環状チャンバの中に置き、前記環状チャンバが前記袋チャンバの中に収縮される。
【０００６】
さらなる技術プランとして、前記昇降装置は前後対称的な、且つ前記スライドチャンバと連通している空き溝を含み、前記空き溝の中には前記カバー板の下端面と噛み合っている連結ギアが回転できるように設置され、前記連結ギアの下端にはベベルギアが噛み合うように連結され、前記空き溝の下側が前記袋チャンバと連通しており、前記昇降装置の同じ側の前後にある二つの前記ボールねじの上端が前記空き溝の中に伸びており、前記ボールねじの上端がそれぞれ前記ベベルギアと固定的に連結されており、
前記カバー板が移動することにより、前記昇降ブロックが昇降する。
【０００７】
さらなる技術プランとして、前記伝動装置は回転溝を含み、前記回転溝の中には当接ロッドが回転できるように設置され、前記当接ロッドのうち互いに離れている端が外部空間の中に伸びており、且つ前記カバー板と当接しており、前記当接ロッドの下端と前記回転溝との間にはトーションばねが固定的に設置され、前記当接ロッドにはスライド溝が設置され、前記スライド溝の中にはスライドブロックがスライドできるように設置され、前記スライドブロックには連通溝が回転できるように設置され、前記回転溝の下端壁にはスライドロッドにより連通チャンバが連通するように設置され、前記連通溝の下端が前記連通チャンバの中に伸びており、且つ前記連通溝の下端にはコンロッドが回転できるように設置され、前記連通チャンバと前記回転チャンバとが連通され、前記推しブロックの下端が前記連通チャンバの中に伸びており、且つ前記コンロッドのもう一端と回転できるように連結され、左右の前記推しブロックのうち互いに接近している端には前記推しブロックを復帰させることができる復帰部品が固定的に設置され、
前記当接ロッドが回転して前記推しブロックを昇降連動させる。
【発明の効果】
【０００８】
本発明の有益な効果は：本発明は構成が簡単で、操作が便利で、収納袋の中には取り外し可能な収納用の装置が設置されており、収納装置により織り物を置きチャンバの中に置き、織り物用の針がきつく挟まれ、織り物が結んだりほどけたりすることを防止でき、且つ収納装置が昇降でき、携帯や使用に便利を与える。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の織物用の収納袋の内部全体構成概略図
【図２】図２は本発明の図１の中の「Ａ―Ａ」方向の構成概略図
【図３】図３は本発明の図２の中の「Ｂ」の拡大構成概略図
【図４】図４は本発明の図１の中の「Ｃ」の拡大構成概略図
【図５】図５は本発明の図１の中の「Ｄ―Ｄ」方向の構成概略図
【発明を実施するための形態】
【００１１】
図１〜５を参照し、本発明の織物用の収納袋は、織物用袋１０を含み、前記織物用袋１０の前後端面には手提げ紐１１が固定的に設置され、前記織物用袋１０の中には袋チャンバ１２が設置され、前記袋チャンバ１２の中には下端が前記袋チャンバ１２の下端壁と当接しているベース１３が設置され、前記ベース１３の中には置きチャンバ４４が設置され、前記置きチャンバ４４の左右両側には凹溝１４が設置され、前記凹溝１４の中には側板１５がスライドできるように設置され、前記側板１５の下端と前記凹溝１４との間には第一ばね１６が固定的に設置され、前記凹溝１４のうち互いに離れている側には前後対称であるねじ穴２０が設置され、前記ねじ穴２０の中にはボールねじ２１がねじ山によって連結され、前記置きチャンバ４４の前後側には伸縮溝１７が設置され、前記伸縮溝１７の中には囲み板１８がスライドできるように設置され、前記囲み板１８の下端と前記伸縮溝１７との間には第二ばね１９が固定的に設置され、前記ベース１３の上側には上端が外部空間に伸びている環状の昇降ブロック２２が設置され、前記昇降ブロック２２の中には前記置きチャンバ４４と連通している環状チャンバ２３が設置され、前記環状チャンバ２３の前後にはスライドチャンバ３３が対称的に、且つ連通するように設置され、前記スライドチャンバ３３の左右両端が外部空間と連通しており、前記スライドチャンバ３３の中には左右対称的な、且つ磁力により連結されているカバー板３４がスライドできるように設置され、前記カバー板３４の後端面には前記カバー板３４を復帰させることができる復帰組み合わせ４３が固定的に設置され、前記カバー板３４の下側には昇降装置１００が設置され、前記昇降装置１００が同じ側の前記ボールねじ２１の上端と動力が伝達できるように連結され、前記環状チャンバ２３には上方に開口した挟み溝２４が左右対称的に、且つ前記環状チャンバ２３と連通するように設置され、左右の前記挟み溝２４の中にはそれぞれ前後対称である挟みブロック２５がスライドできるように設置され、前記挟みブロック２５の相対している端面には滑り止めマット２６が固定的に設置され、前記挟み溝２４の下端壁の中には回転チャンバ２７が連通するように設置され、前記挟みブロック２５の下端が前記回転チャンバ２７の中には伸びており、前記回転チャンバ２７の中には前後に置かれている回転ロッド２８が回転できるように設置され、前記回転ロッド２８の上端が前記挟みブロック２５の下端とそれぞれ回転できるように連結され、前記回転ロッド２８の間にはねじりばね４５が固定的に設置され、前記回転ロッド２８の下端の間には推しブロック２９が当接するように設置され、左右の前記回転チャンバ２７のうち互いに離れている側には伝動装置２００が設置され、前記伝動装置２００と前記推しブロック２９とは動力が伝達できるように連結され、
織物をきつく挟んで前記環状チャンバ２３の中に置き、前記環状チャンバ２３が前記袋チャンバ１２の中に収縮される。
【００１２】
有益なように、前記昇降装置１００は前後対称的な、且つ前記スライドチャンバ３３と連通している空き溝３５を含み、前記空き溝３５の中には前記カバー板３４の下端面と噛み合っている連結ギア３６が回転できるように設置され、前記連結ギア３６の下端にはベベルギア３７が噛み合うように連結され、前記空き溝３５の下側が前記袋チャンバ１２と連通しており、前記昇降装置１００の同じ側の前後にある二つの前記ボールねじ２１の上端が前記空き溝３５の中に伸びており、前記ボールねじ２１の上端がそれぞれ前記ベベルギア３７と固定的に連結されており、
前記カバー板３４が移動することにより、前記昇降ブロック２２が昇降する。
【００１３】
有益なように、前記伝動装置２００は回転溝３８を含み、前記回転溝３８の中には当接ロッド３９が回転できるように設置され、前記当接ロッド３９のうち互いに離れている端が外部空間の中に伸びており、且つ前記カバー板３４と当接しており、前記当接ロッド３９の下端と前記回転溝３８との間にはトーションばね４０が固定的に設置され、前記当接ロッド３９にはスライド溝４６が設置され、前記スライド溝４６の中にはスライドブロック４７がスライドできるように設置され、前記スライドブロック４７には連通溝４２が回転できるように設置され、前記回転溝３８の下端壁にはスライドロッド４１により連通チャンバ３１が連通するように設置され、前記連通溝４２の下端が前記連通チャンバ３１の中に伸びており、且つ前記連通溝４２の下端にはコンロッド３２が回転できるように設置され、前記連通チャンバ３１と前記回転チャンバ２７とが連通され、前記推しブロック２９の下端が前記連通チャンバ３１の中に伸びており、且つ前記コンロッド３２のもう一端と回転できるように連結され、左右の前記推しブロック２９のうち互いに接近している端には前記推しブロック２９を復帰させることができる復帰部品３０が固定的に設置され、
前記当接ロッド３９が回転して前記推しブロック２９を昇降連動させる。
【００１４】
初期状態にある時、カバー板３４によりスライドチャンバ３３を開き、昇降ブロック２２の上端が外部空間に伸びており、トーションばね４０が圧縮状態にあり、復帰部品３０が引っ張り状態にあり、挟みブロック２５が互いに離れている。
【００１５】
作動する時、織物用の針を環状チャンバ２３の中に横向きに置き、針の両端を挟み溝２４の中に置き、（もし針には一部完成した織り物があると、織り物の下端を置きチャンバ４４の中に置き）、その後、カバー板３４を対向するように推し動かし、それによりカバー板３４が磁力により連結され、それにより復帰組み合わせ４３が引っ張り状態にあり、カバー板３４が向き合って移動する時、連結ギア３６が回転し、それによりベベルギア３７が回転し、それによりボールねじ２１が回転し、ねじ穴２０の作用の下で、昇降ブロック２２が降下し、それにより昇降ブロック２２の下端が側板１５と囲み板１８とを押してそれぞれ凹溝１４と伸縮溝１７との中に収縮し、この時に昇降ブロック２２が袋チャンバ１２の中に収縮され、カバー板３４の相対する一端が当接して環状チャンバ２３を閉じる時、当接ロッド３９がトーションばね４０の作用の下で回転し（左側の当接ロッド３９が時計回りに回転し、右側の当接ロッド３９が反時計回りに回転し）、それにより連通溝４２が降下し、コンロッド３２により推しブロック２９が上昇し、回転ロッド２８を推し動かして回転させ、それにより回転ロッド２８の上端が挟みブロック２５を向き合って移動連動させ、それにより滑り止めマット２６が針をきつく挟み、織り物は袋チャンバ１２の中に結んだりほどけたりすることを防止し、織り物を取り出す時、カバー板３４を推し動かすことにより環状チャンバ２３を開ければよく、それにより滑り止めマット２６が逆方向に移動して針を放し、昇降ブロック２２が袋チャンバ１２の上側に上昇し、直接に織り物を取れる。
【００１６】
本発明の有益な効果は：本発明は構成が簡単で、操作が便利で、収納袋の中には取り外し可能な収納用の装置が設置されており、収納装置により織り物を置きチャンバの中に置き、織り物用の針がきつく挟まれ、織り物が結んだりほどけたりすることを防止でき、且つ収納装置が昇降でき、携帯や使用に便利を与える。
【００１７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020179113.tif 000003
【図２】
2020179113.tif 000004
【図３】
2020179113.tif 000005
【図４】
2020179113.tif 000006
【図５】
2020179113.tif 000007
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
正面視で、織物用袋を含み、前記織物用袋の前後端面には手提げ紐が固定的に設置され、前記織物用袋の中には袋チャンバが設置され、前記袋チャンバの中には下端が前記袋チャンバの下端壁と当接しているベースが設置され、前記ベースの中には置きチャンバが設置され、前記置きチャンバの左右両側には凹溝が設置され、前記凹溝の中には側板がスライドできるように設置され、前記側板の下端と前記凹溝との間には第一ばねが固定的に設置され、前記凹溝のうち互いに離れている側には前後対称であるねじ穴が設置され、前記ねじ穴の中にはボールねじがねじ山によって連結され、前記置きチャンバの前後側には伸縮溝が設置され、前記伸縮溝の中には囲み板がスライドできるように設置され、前記囲み板の下端と前記伸縮溝との間には第二ばねが固定的に設置され、前記ベースの上側には上端が外部空間に伸びている環状の昇降ブロックが設置され、前記昇降ブロックの中には前記置きチャンバと連通している環状チャンバが設置され、前記環状チャンバの前後にはスライドチャンバが対称的に、且つ連通するように設置され、前記スライドチャンバの左右両端が外部空間と連通しており、前記スライドチャンバの中には左右対称的な、且つ磁力により連結されているカバー板がスライドできるように設置され、前記カバー板の後端面には前記カバー板を復帰させることができる復帰組み合わせが固定的に設置され、前記カバー板の下側には昇降装置が設置され、前記昇降装置が同じ側の前記ボールねじの上端と動力が伝達できるように連結され、前記環状チャンバには上方に開口した挟み溝が左右対称的に、且つ前記環状チャンバと連通するように設置され、左右の前記挟み溝の中にはそれぞれ前後対称である挟みブロックがスライドできるように設置され、前記挟みブロックの相対している端面には滑り止めマットが固定的に設置され、前記挟み溝の下端壁の中には回転チャンバが連通するように設置され、前記挟みブロックの下端が前記回転チャンバの中には伸びており、前記回転チャンバの中には前後に置かれている回転ロッドが回転できるように設置され、前記回転ロッドの上端が前記挟みブロックの下端とそれぞれ回転できるように連結され、前記回転ロッドの間にはねじりばねが固定的に設置され、前記回転ロッドの下端の間には推しブロックが当接するように設置され、左右の前記回転チャンバのうち互いに離れている側には伝動装置が設置され、前記伝動装置と前記推しブロックとは動力が伝達できるように連結され、
織物をきつく挟んで前記環状チャンバの中に置き、前記環状チャンバが前記袋チャンバの中に収縮されることを特徴とする織物用の収納袋。
【請求項２】
前記昇降装置は前後対称的な、且つ前記スライドチャンバと連通している空き溝を含み、前記空き溝の中には前記カバー板の下端面と噛み合っている連結ギアが回転できるように設置され、前記連結ギアの下端にはベベルギアが噛み合うように連結され、前記空き溝の下側が前記袋チャンバと連通しており、前記昇降装置の同じ側の前後にある二つの前記ボールねじの上端が前記空き溝の中に伸びており、前記ボールねじの上端がそれぞれ前記ベベルギアと固定的に連結されており、
前記カバー板が移動することにより、前記昇降ブロックが昇降することを特徴とする請求項１に記載の織物用の収納袋。
【請求項３】
前記伝動装置は回転溝を含み、前記回転溝の中には当接ロッドが回転できるように設置され、前記当接ロッドのうち互いに離れている端が外部空間の中に伸びており、且つ前記カバー板と当接しており、前記当接ロッドの下端と前記回転溝との間にはトーションばねが固定的に設置され、前記当接ロッドにはスライド溝が設置され、前記スライド溝の中にはスライドブロックがスライドできるように設置され、前記スライドブロックにはスライドロッドが回転できるように設置され、前記回転溝の下端壁にはスライドロッドにより連通チャンバが連通するように設置され、前記連通溝の下端が前記連通チャンバの中に伸びており、且つ前記連通溝の下端にはコンロッドが回転できるように設置され、前記連通チャンバと前記回転チャンバとが連通され、前記推しブロックの下端が前記連通チャンバの中に伸びており、且つ前記コンロッドのもう一端と回転できるように連結され、左右の前記推しブロックのうち互いに接近している端には前記推しブロックを復帰させることができる復帰部品が固定的に設置され、
前記当接ロッドが回転して前記推しブロックを昇降連動させることを特徴とする請求項１に記載の織物用の収納袋。
【手続補正２】
【補正対象書類名】明細書
【補正対象項目名】全文
【補正方法】変更
【補正の内容】
【発明の詳細な説明】
【技術分野】
【０００１】
本発明は日用品技術分野に関わり、具体的には織物用の収納袋である。
【背景技術】
【０００２】
今の織物用の収納袋は物を収容する作用しか持っていなく、織物を袋に入れれば、携帯する時の揺れ動き又は収納する時に押されることなどが原因で、織物は結んだりほどけたりする。
従って、織物用の収納袋の使用の便利さを高めるため、既存技術の織物用の収納袋を更に改善する必要がある。
【先行技術文献】
【特許文献】
【０００３】
【特許文献１】中国特許出願公開第１０５６４４９１１号明細書
【発明の概要】
【発明が解決しようとする課題】
【０００４】
本発明は織物用の収納袋を提供し、既存技術にある上記欠点を解消することを目的とする。
【課題を解決するための手段】
【０００５】
本発明の織物用の収納袋は、織物用袋を含み、前記織物用袋の前後端面には手提げ紐が固定的に設置され、前記織物用袋の中には袋チャンバが設置され、前記袋チャンバの中には下端が前記袋チャンバの下端壁と当接しているベースが設置され、前記ベースの中には置きチャンバが設置され、前記置きチャンバの左右両側には凹溝が設置され、前記凹溝の中には側板がスライドできるように設置され、前記側板の下端と前記凹溝との間には第一ばねが固定的に設置され、前記凹溝のうち互いに離れている側には前後対称であるねじ穴が設置され、前記ねじ穴の中にはボールねじがねじ山によって連結され、前記置きチャンバの前後側には伸縮溝が設置され、前記伸縮溝の中には囲み板がスライドできるように設置され、前記囲み板の下端と前記伸縮溝との間には第二ばねが固定的に設置され、前記ベースの上側には上端が外部空間に伸びている環状の昇降ブロックが設置され、前記昇降ブロックの中には前記置きチャンバと連通している環状チャンバが設置され、前記環状チャンバの前後にはスライドチャンバが対称的に、且つ連通するように設置され、前記スライドチャンバの左右両端が外部空間と連通しており、前記スライドチャンバの中には左右対称的な、且つ磁力により連結されているカバー板がスライドできるように設置され、前記カバー板の後端面には前記カバー板を復帰させることができる復帰組み合わせが固定的に設置され、前記カバー板の下側には昇降装置が設置され、前記昇降装置が同じ側の前記ボールねじの上端と動力が伝達できるように連結され、前記環状チャンバには上方に開口した挟み溝が左右対称的に、且つ前記環状チャンバと連通するように設置され、左右の前記挟み溝の中にはそれぞれ前後対称である挟みブロックがスライドできるように設置され、前記挟みブロックの相対している端面には滑り止めマットが固定的に設置され、前記挟み溝の下端壁の中には回転チャンバが連通するように設置され、前記挟みブロックの下端が前記回転チャンバの中には伸びており、前記回転チャンバの中には前後に置かれている回転ロッドが回転できるように設置され、前記回転ロッドの上端が前記挟みブロックの下端とそれぞれ回転できるように連結され、前記回転ロッドの間にはねじりばねが固定的に設置され、前記回転ロッドの下端の間には推しブロックが当接するように設置され、左右の前記回転チャンバのうち互いに離れている側には伝動装置が設置され、前記伝動装置と前記推しブロックとは動力が伝達できるように連結され、
織物をきつく挟んで前記環状チャンバの中に置き、前記環状チャンバが前記袋チャンバの中に収縮される。
【０００６】
さらなる技術プランとして、前記昇降装置は前後対称的な、且つ前記スライドチャンバと連通している空き溝を含み、前記空き溝の中には前記カバー板の下端面と噛み合っている連結ギアが回転できるように設置され、前記連結ギアの下端にはベベルギアが噛み合うように連結され、前記空き溝の下側が前記袋チャンバと連通しており、前記昇降装置の同じ側の前後にある二つの前記ボールねじの上端が前記空き溝の中に伸びており、前記ボールねじの上端がそれぞれ前記ベベルギアと固定的に連結されており、
前記カバー板が移動することにより、前記昇降ブロックが昇降する。
【０００７】
さらなる技術プランとして、前記伝動装置は回転溝を含み、前記回転溝の中には当接ロッドが回転できるように設置され、前記当接ロッドのうち互いに離れている端が外部空間の中に伸びており、且つ前記カバー板と当接しており、前記当接ロッドの下端と前記回転溝との間にはトーションばねが固定的に設置され、前記当接ロッドにはスライド溝が設置され、前記スライド溝の中にはスライドブロックがスライドできるように設置され、前記スライドブロックにはスライドロッドが回転できるように設置され、前記回転溝の下端壁にはスライドロッドにより連通チャンバが連通するように設置され、前記連通溝の下端が前記連通チャンバの中に伸びており、且つ前記連通溝の下端にはコンロッドが回転できるように設置され、前記連通チャンバと前記回転チャンバとが連通され、前記推しブロックの下端が前記連通チャンバの中に伸びており、且つ前記コンロッドのもう一端と回転できるように連結され、左右の前記推しブロックのうち互いに接近している端には前記推しブロックを復帰させることができる復帰部品が固定的に設置され、
前記当接ロッドが回転して前記推しブロックを昇降連動させる。
【発明の効果】
【０００８】
本発明の有益な効果は：本発明は構成が簡単で、操作が便利で、収納袋の中には取り外し可能な収納用の装置が設置されており、収納装置により織り物を置きチャンバの中に置き、織り物用の針がきつく挟まれ、織り物が結んだりほどけたりすることを防止でき、且つ収納装置が昇降でき、携帯や使用に便利を与える。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の織物用の収納袋の内部全体構成概略図
【図２】図２は本発明の図１の中の「Ａ―Ａ」方向の構成概略図
【図３】図３は本発明の図２の中の「Ｂ」の拡大構成概略図
【図４】図４は本発明の図１の中の「Ｃ」の拡大構成概略図
【図５】図５は本発明の図１の中の「Ｄ―Ｄ」方向の構成概略図
【発明を実施するための形態】
【００１１】
図１〜５を参照し、本発明の織物用の収納袋は、織物用袋１０を含み、前記織物用袋１０の前後端面には手提げ紐１１が固定的に設置され、前記織物用袋１０の中には袋チャンバ１２が設置され、前記袋チャンバ１２の中には下端が前記袋チャンバ１２の下端壁と当接しているベース１３が設置され、前記ベース１３の中には置きチャンバ４４が設置され、前記置きチャンバ４４の左右両側には凹溝１４が設置され、前記凹溝１４の中には側板１５がスライドできるように設置され、前記側板１５の下端と前記凹溝１４との間には第一ばね１６が固定的に設置され、前記凹溝１４のうち互いに離れている側には前後対称であるねじ穴２０が設置され、前記ねじ穴２０の中にはボールねじ２１がねじ山によって連結され、前記置きチャンバ４４の前後側には伸縮溝１７が設置され、前記伸縮溝１７の中には囲み板１８がスライドできるように設置され、前記囲み板１８の下端と前記伸縮溝１７との間には第二ばね１９が固定的に設置され、前記ベース１３の上側には上端が外部空間に伸びている環状の昇降ブロック２２が設置され、前記昇降ブロック２２の中には前記置きチャンバ４４と連通している環状チャンバ２３が設置され、前記環状チャンバ２３の前後にはスライドチャンバ３３が対称的に、且つ連通するように設置され、前記スライドチャンバ３３の左右両端が外部空間と連通しており、前記スライドチャンバ３３の中には左右対称的な、且つ磁力により連結されているカバー板３４がスライドできるように設置され、前記カバー板３４の後端面には前記カバー板３４を復帰させることができる復帰組み合わせ４３が固定的に設置され、前記カバー板３４の下側には昇降装置１００が設置され、前記昇降装置１００が同じ側の前記ボールねじ２１の上端と動力が伝達できるように連結され、前記環状チャンバ２３には上方に開口した挟み溝２４が左右対称的に、且つ前記環状チャンバ２３と連通するように設置され、左右の前記挟み溝２４の中にはそれぞれ前後対称である挟みブロック２５がスライドできるように設置され、前記挟みブロック２５の相対している端面には滑り止めマット２６が固定的に設置され、前記挟み溝２４の下端壁の中には回転チャンバ２７が連通するように設置され、前記挟みブロック２５の下端が前記回転チャンバ２７の中には伸びており、前記回転チャンバ２７の中には前後に置かれている回転ロッド２８が回転できるように設置され、前記回転ロッド２８の上端が前記挟みブロック２５の下端とそれぞれ回転できるように連結され、前記回転ロッド２８の間にはねじりばね４５が固定的に設置され、前記回転ロッド２８の下端の間には推しブロック２９が当接するように設置され、左右の前記回転チャンバ２７のうち互いに離れている側には伝動装置２００が設置され、前記伝動装置２００と前記推しブロック２９とは動力が伝達できるように連結され、
織物をきつく挟んで前記環状チャンバ２３の中に置き、前記環状チャンバ２３が前記袋チャンバ１２の中に収縮される。
【００１２】
有益なように、前記昇降装置１００は前後対称的な、且つ前記スライドチャンバ３３と連通している空き溝３５を含み、前記空き溝３５の中には前記カバー板３４の下端面と噛み合っている連結ギア３６が回転できるように設置され、前記連結ギア３６の下端にはベベルギア３７が噛み合うように連結され、前記空き溝３５の下側が前記袋チャンバ１２と連通しており、前記昇降装置１００の同じ側の前後にある二つの前記ボールねじ２１の上端が前記空き溝３５の中に伸びており、前記ボールねじ２１の上端がそれぞれ前記ベベルギア３７と固定的に連結されており、
前記カバー板３４が移動することにより、前記昇降ブロック２２が昇降する。
【００１３】
有益なように、前記伝動装置２００は回転溝３８を含み、前記回転溝３８の中には当接ロッド３９が回転できるように設置され、前記当接ロッド３９のうち互いに離れている端が外部空間の中に伸びており、且つ前記カバー板３４と当接しており、前記当接ロッド３９の下端と前記回転溝３８との間にはトーションばね４０が固定的に設置され、前記当接ロッド３９にはスライド溝４６が設置され、前記スライド溝４６の中にはスライドブロック４７がスライドできるように設置され、前記スライドブロック４７にはスライドロッド４１が回転できるように設置され、前記回転溝３８の下端壁にはスライドロッド４１により連通チャンバ３１が連通するように設置され、前記連通溝４２の下端が前記連通チャンバ３１の中に伸びており、且つ前記連通溝４２の下端にはコンロッド３２が回転できるように設置され、前記連通チャンバ３１と前記回転チャンバ２７とが連通され、前記推しブロック２９の下端が前記連通チャンバ３１の中に伸びており、且つ前記コンロッド３２のもう一端と回転できるように連結され、左右の前記推しブロック２９のうち互いに接近している端には前記推しブロック２９を復帰させることができる復帰部品３０が固定的に設置され、
前記当接ロッド３９が回転して前記推しブロック２９を昇降連動させる。
【００１４】
初期状態にある時、カバー板３４によりスライドチャンバ３３を開き、昇降ブロック２２の上端が外部空間に伸びており、トーションばね４０が圧縮状態にあり、復帰部品３０が引っ張り状態にあり、挟みブロック２５が互いに離れている。
【００１５】
作動する時、織物用の針を環状チャンバ２３の中に横向きに置き、針の両端を挟み溝２４の中に置き、（もし針には一部完成した織り物があると、織り物の下端を置きチャンバ４４の中に置き）、その後、カバー板３４を対向するように推し動かし、それによりカバー板３４が磁力により連結され、それにより復帰組み合わせ４３が引っ張り状態にあり、カバー板３４が向き合って移動する時、連結ギア３６が回転し、それによりベベルギア３７が回転し、それによりボールねじ２１が回転し、ねじ穴２０の作用の下で、昇降ブロック２２が降下し、それにより昇降ブロック２２の下端が側板１５と囲み板１８とを押してそれぞれ凹溝１４と伸縮溝１７との中に収縮し、この時に昇降ブロック２２が袋チャンバ１２の中に収縮され、カバー板３４の相対する一端が当接して環状チャンバ２３を閉じる時、当接ロッド３９がトーションばね４０の作用の下で回転し（左側の当接ロッド３９が時計回りに回転し、右側の当接ロッド３９が反時計回りに回転し）、それにより連通溝４２が降下し、コンロッド３２により推しブロック２９が上昇し、回転ロッド２８を推し動かして回転させ、それにより回転ロッド２８の上端が挟みブロック２５を向き合って移動連動させ、それにより滑り止めマット２６が針をきつく挟み、織り物は袋チャンバ１２の中に結んだりほどけたりすることを防止し、織り物を取り出す時、カバー板３４を推し動かすことにより環状チャンバ２３を開ければよく、それにより滑り止めマット２６が逆方向に移動して針を放し、昇降ブロック２２が袋チャンバ１２の上側に上昇し、直接に織り物を取れる。
【００１６】
本発明の有益な効果は：本発明は構成が簡単で、操作が便利で、収納袋の中には取り外し可能な収納用の装置が設置されており、収納装置により織り物を置きチャンバの中に置き、織り物用の針がきつく挟まれ、織り物が結んだりほどけたりすることを防止でき、且つ収納装置が昇降でき、携帯や使用に便利を与える。
【００１７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。